(57)【要約】    【課題】  画像形成後の用紙を簡単に揃えることができる画像形成装置を提供することを目的とする。    【解決手段】  画像形成部により用紙に画像を形成した後の用紙Ｐ４、Ｐ５を排紙する排紙口と、この排紙口の下流側に位置し、前記排紙口から排紙された用紙Ｐ４、Ｐ５を積載する排紙トレイ１とを備えた画像形成装置において、前記排紙トレイ１に排紙される複数種類の用紙形態に、それぞれ適合する複数の方形状の区画領域２、３を形成する。【選択図】図１
2005067886.tif 000002
【特許請求の範囲】
【請求項１】
画像形成部により用紙に画像を形成した後の用紙を排紙する排紙口と、この排紙口の下流側に位置し、前記排紙口から排紙された用紙を積載する排紙トレイとを備えた画像形成装置において、
前記排紙トレイに排紙される複数種類の用紙形態に、それぞれ適合する複数の方形状の区画領域を形成したことを特徴とする画像形成装置。
【請求項２】
画像形成部により用紙に画像を形成した後の用紙を排紙する排紙口と、この排紙口の下流側に位置し、前記排紙口から排紙された用紙を積載する排紙トレイとを備えた画像形成装置において、
前記排紙トレイに排紙される用紙形態に適合する方形状の区画領域を形成したことを特徴とする画像形成装置。
【請求項３】
前記方形状の区画領域が、落し込み溝であることを特徴とする請求項１または請求項２に記載の画像形成装置。
【請求項４】
複数の方形状の区画領域を有し、一方の方形状の区画領域内に、他方の方形状の区画領域を形成し、この他方の方形状の区画領域に、嵌め込み補助部材を着脱可能に設けたことを特徴とする請求項１または請求項３記載の画像形成装置。
【請求項５】
前記取外し可能な嵌め込み補助部材の境界線上の少なくとも一辺に、前記補助部材を着脱するための着脱溝を形成したことを特徴とする請求項４に記載の画像形成装置。
【請求項６】
前記取外し可能な嵌め込み補助部材の境界線上の内、用紙の排紙方向に直交する端部に、曲線状の立上げ部を形成したことを特徴とする請求項１または請求項４に記載の画像形成装置。
【請求項７】
前記方形状の区画領域の用紙積載面を、排紙トレイ面に対して傾斜せしめたことを特徴とする請求項１乃至請求項４いずれかに記載の画像形成装置。
【請求項８】
前記傾斜が、方形状の区画領域のいずれか1つの角に向かって形成したことを特徴とする請求項７記載の画像形成装置。
【請求項９】
方形状の区画領域の少なくとも一辺に接する位置に、前記方形状の区画領域に積載される用紙を取出す取出し溝を形成したことを特徴とする請求項１乃至請求項４いずれかに記載の画像形成装置。
【請求項１０】
前記取出し溝の一部が用紙積載面の下まで延長して形成したことを特徴とする請求項９記載の画像形成装置。
【発明の詳細な説明】
【技術分野】
【０００１】
本発明は、例えば複写機、プリンタ、印刷機などの枚葉式の排紙トレイを備えた画像形成装置に関し、特に、画像形成後に排紙口から排紙された用紙を、極めて簡単に揃えることができるようにしたものである。
【背景技術】
【０００２】
周知の通り、枚葉式のプリンタにあっては、カット紙からなる単票の用紙の排紙方向の一方の側端部を搬送基準とし、この搬送基準を基に画像形成部により所望の画像を形成した後、排紙ローラなどからなる搬送機構により、前記用紙を排紙口から搬送基準となる側板に沿って排紙トレイに排紙し、排紙トレイの上に順次前記用紙を積載するようにしたものがある(例えば、特許文献1参照）。
【特許文献１】実開昭５８−１０４３８号公報
【発明の開示】
【発明が解決しようとする課題】
【０００３】
しかし、前述の特許文献１記載の構成では、排紙トレイの上に単に搬送基準となる側板に沿って画像形成後の用紙を順次積載しているので、各用紙の四隅は揃わず、その後の対応、例えば資料の孔空けやステープラーなどの装丁具、更には紐などを用い、資料を綴じる装丁加工などをする場合、その都度、資料を揃え直さなければならず、不便である他、その作業に時間がかかる、などといった課題がある。
【０００４】
、
本発明は、上述した問題を解決するためになされたものであり、画像形成後の用紙を簡単に揃えることができる画像形成装置を提供することを目的とする。
【課題を解決するための手段】
【０００５】
かかる目的を達成するため、請求項１記載の発明では、画像形成部により用紙に画像を形成した後の用紙を排紙する排紙口と、この排紙口の下流側に位置し、前記排紙口から排紙された用紙を積載する排紙トレイとを備えた画像形成装置において、前記排紙トレイに排紙される複数種類の用紙形態に、それぞれ適合する複数の方形状の区画領域を形成する。なお、本明細書において、「用紙形態」とは、画像を形成する用紙のサイズ（Ａ４、Ｂ４、葉書…………）と、印刷の向き(縦方向、横方向)との組み合わせを言う。したがって、その用紙形態は、各サイズの用紙について、２種類(例えば、Ａ４縦、Ａ４横)ある。
【０００６】
請求項２記載の発明では、画像形成部により用紙に画像を形成した後の用紙を排紙する排紙口と、この排紙口の下流側に位置し、前記排紙口から排紙された用紙を積載する排紙トレイとを備えた画像形成装置において、前記排紙トレイに排紙される用紙形態に適合する方形状の区画領域を形成する。
【０００７】
請求項３記載の発明では、前記方形状の区画領域を、落し込み溝で形成する。
【０００８】
請求項４記載の発明では、複数の方形状の区画領域を有し、一方の方形状の区画領域内に、他方の方形状の区画領域を形成し、この他方の方形状の区画領域に、嵌め込み補助部材を着脱可能に設ける。
【０００９】
請求項５記載の発明では、前記取外し可能な嵌め込み補助部材の境界線上の少なくとも一辺に、前記補助部材を着脱するための着脱溝を形成する。
【００１０】
請求項６記載の発明では、前記取外し可能な嵌め込み補助部材の境界線上の内、用紙の排紙方向に直交する端部に、曲線状の立上げ部を形成する。
【００１１】
請求項７記載の発明では、前記方形状の区画領域の用紙積載面を、排紙トレイ面に対して傾斜せしめる
【００１２】
請求項８記載の発明では、前記傾斜を、方形状の区画領域のいずれか1つの角に向かって形成する。
【００１３】
請求項９記載の発明では、方形状の区画領域の少なくとも一辺に接する位置に、前記方形状の区画領域に積載される用紙を取出す取出し溝を形成する。
【００１４】
請求項１０記載の発明では、前記取出し溝の一部を用紙積載面の下まで延長して形成する。
【発明の効果】
【００１５】
請求項１記載の発明の構成によれば、画像形成後の用紙は、各用紙形態に対応する方形状の区画領域に排紙され、順次積載されつつ各用紙の四隅が略揃えられる。したがって、その後の孔空けやステープラーなどの装丁具、更には紐などを用い、資料を綴じる装丁加工などが簡単、かつ短時間で行うことができ、資料が扱い易くなる他、複数種類の用紙形態に対応することができる、などといった効果を奏する。
【００１６】
請求項２記載の発明の構成によれば、画像形成後の用紙は、各用紙形態に対応する方形状の区画領域に排紙され、順次積載されつつ各用紙の四隅が略揃えられる。したがって、その後の孔空けやステープラーなどの装丁具、更には紐などを用い、資料を綴じる装丁加工などが簡単、かつ短時間で行うことができ、資料が扱い易くなるなどといった効果を奏する。
【００１７】
請求項３記載の発明の構成によれば、排紙トレイに用紙形態に対応する落し込み溝を形成すればよく、その構成は極めて簡単であり、都合がよい。
【００１８】
請求項４記載の発明の構成によれば、嵌め込み補助部材を着脱することにより、極めて簡単に複数の用紙形態に対応することができ、都合がよい。
【００１９】
請求項５記載の発明の構成によれば、嵌め込み補助部材の着脱を、極めて簡単に行うことができるので、都合がよい。
【００２０】
請求項６記載の発明の構成によれば、嵌め込み補助部材を用いても、その境界面に用紙が引っかかるといった危惧が全くなくなり、好ましい。
【００２１】
請求項７記載の発明の構成によれば、方形状の区画領域の用紙積載面が排紙トレイ面に対して傾斜されているので、順次積載される用紙が確実に揃えられるので、好ましい。
【００２２】
請求項８記載の発明の構成によれば、方形状の区画領域の用紙積載面が排紙トレイ面に対して一つの角に向かって傾斜されているので、順次積載される用紙がより確実に揃えられるので、好ましい。
【００２３】
請求項９記載の発明の構成によれば、取出し溝に指を入れることができるので、方形状の区画領域に積載された用紙を、簡単に取出すことができ、都合がよい。
【００２４】
請求項１０記載の発明の構成によれば、用紙積載面の下まで指を入れることができるので、方形状の区画領域に積載された用紙を、極めて簡単に取出すことができ、好ましい。
【発明を実施するための最良の形態】
【００２５】
画像形成部により用紙に画像を形成した後の用紙を排紙する排紙口と、この排紙口の下流側に位置し、前記排紙口から排紙された用紙を積載する排紙トレイとを備えた画像形成装置において、前記排紙トレイに排紙される複数種類の用紙形態に、それぞれ適合する落し込み溝からなる複数の方形状の区画領域を有し、一方の方形状の区画領域内に、他方の方形状の区画領域を形成し、この他方の方形状の区画領域に、嵌め込み補助部材を着脱可能に設けるとともに、前記取外し可能な嵌め込み補助部材の境界線上の少なくとも一辺に、前記補助部材を着脱するための着脱溝を形成する。
【実施例】
【００２６】
以下、本発明の一実施例を図１乃至図４に基づき説明する。図１は、本発明の一実施例による画像形成装置の排紙トレイの概略構成を示す斜視図、図２は、図１の正面断面図、図３は、図１に示す排紙トレイに用いる嵌め込み補助部材の概略構成を示す斜視図、図４は、図１に示す排紙トレイから嵌め込み補助部材を取除いた状態を示す斜視図である。
【００２７】
１は排紙トレイで、この排紙トレイ１は、搬送基準Ｓに沿って用紙を搬送し、図示しない画像形成部により用紙に画像を形成した後の用紙を排紙する排紙口の下流側に位置し、前記排紙口から排紙された用紙を積載する。この排紙トレイ１には、図示する例では、２種類の用紙形態、例えばＡ４・縦およびＢ５・縦に、それぞれ適合する第１の方形状の区画領域２と、第２の方形状の区画領域３とが形成されている。
【００２８】
前記第１の方形状の区画領域２は、排紙トレイ１の上に搬送基準Ｓを基準として枠体２０により区画されている。この第１の方形状の区画領域２の大きさは、Ａ４の用紙の大きさ（横：２１０ｍｍ×縦：２９７ｍｍ）と同じか若干大きく設定され、Ａ４・縦の用紙を積載する用紙積載面２２を形成している。また、第２の方形状の区画領域３は、排紙トレイ１の前記搬送基準Ｓを基準とするとともに、前記第１の方形状の区画領域２内に、排紙トレイ面１１に形成された落し込み溝３１により区画さている。この第２の方形状の区画領域３の大きさは、Ｂ５の用紙の大きさ（横：１８２ｍｍ×縦：２５７ｍｍ）と同じか若干大きく設定され、Ｂ５・縦の用紙を積載する用紙積載面３２を形成している。そして、第２の方形状の区画領域３を形成する落し込み溝３１には、着脱可能に嵌め込み補助部材３３が嵌め込まれている。なお、図中Ａは、用紙排出方向を示す。
【００２９】
前記嵌め込み補助部材３３の外周の少なくとも一辺を切欠いて着脱溝３４を形成すると、この着脱溝３４に指を入れて、前記落し込み溝３から嵌め込み補助部材３１を着脱することができるので、その着脱作業が極めて簡単となり、都合がよい。
【００３０】
また、図示例のように、用紙積載面２２の第２の方形状の区画領域３の少なくとも一辺に接する位置に、断面Ｌ字状の窪み状の取出し溝１２を設け、前記第２の方形状の区画領域３に積載される用紙を取出すようにしても良いのは勿論である。この場合、前記取出し溝１２の一部を図示のように第２の方形状の区画領域３によって形成されるＢ５の用紙が積載される用紙積載面３２の下まで一部が延長するように形成すると、前記用紙積載面３２に積載されるＢ５の用紙の下まで指を入れることができるので、第２の方形状の区画領域３に積載された用紙を、極めて簡単に取出すことができ、都合がよい。
【００３１】
なお、図示しないが枠体２０および排紙トレイ面１１の第１の方形状の区画領域２の少なくとも一辺に接する位置に、前述した取出し溝１２と同様の断面Ｌ字状の窪み状の取出し溝を設け、前記第１の方形状の区画領域２に積載される用紙を取出すようにしても良いのは勿論である。また、前記着脱溝３４を省略して、前記取出し溝により嵌め込み補助部材３１の着脱と用紙の取出しとを兼ねるようにしても良いのは勿論である。
【００３２】
以上の構成による実施例では、搬送基準Ｓを基に図示しない画像形成部により、例えばＡ４・縦の用紙に画像を形成する場合、第２の方形状の区画領域３を区画する落し込み溝３１に、嵌め込み補助部材３３を嵌め込んだ状態で画像形成装置を運転する。すると排紙口から排紙されたＡ４・縦の用紙Ｐ４は、順次第１の方形状の区画領域２の用紙載置面２２上に略用紙の四隅が揃った状態で積載される。また、Ｂ５・縦の用紙に画像を形成する場合には、第２の方形状の区画領域３を区画する落し込み溝３１に、嵌め込まれた嵌め込み補助部材３３を取外し、その状態で画像形成装置を運転する。すると排紙口から排紙されたＢ５・縦の用紙Ｐ５は、順次第２の方形状の区画領域３の用紙載置面３２上に略用紙の四隅が揃った状態で積載される。したがって、その後の孔空けやステープラーなどの装丁具、更には紐などを用い、資料を綴じる装丁加工などが簡単、かつ短時間で行うことができ、資料が扱い易くなる他、複数種類の用紙形態に対応することができる、などといった効果を奏する。
【００３３】
なお、画像形成内容が複数種類（複数ページ）ある場合、画像形成装置の運転状態をフェイスダウン方式、すなわち画像形成後の用紙が、画像形成の順（ページ順）に積載されるようにすると、より好ましい。
【００３４】
次に、図５乃至図８に示す本発明の他の実施の形態について説明する。図５は、本発明の他の実施例による画像形成装置の排紙トレイの概略構成を示す斜視図、図６は、図５に示す排紙トレイの正面断面図、図７は、図５に示す排紙トレイに用いる第１の嵌め込み補助部材の概略構成を示す斜視図、図８は、同じく図５に示す排紙トレイに用いる第２の嵌め込み補助部材の概略構成を示す斜視図である。なお、図５乃至図８において図1乃至図４と同じ符号を付した部分は略同一のものを示す。以下相違点を中心に説明する。
【００３５】
この実施例では、３種類の用紙形態、例えばＡ４・縦、Ｂ５・縦および葉書・縦に、それぞれ適合するように、第１の方形状の区画領域２と、第２の方形状の区画領域３と、第３の方形状の区画領域４が形成されている。
【００３６】
前記第１の方形状の区画領域２は、排紙トレイ１の上に搬送基準Ｓを基準とするとともに、排紙トレイ面１１に形成された落し込み溝２１により区画さている。この第１方形状の区画領域２の大きさは、前述した実施例と同様Ａ４の用紙の大きさと同じか若干大きく設定され、Ａ４・縦の用紙を積載する用紙積載面２２を形成している。また、第２の方形状の区画領域３は、排紙トレイ１の前記搬送基準Ｓを基準とするとともに、前記第１の方形状の区画領域２内に、前記用紙積載面２２に形成された落し込み溝３１により区画さている。この第２の方形状の区画領域３の大きさは、Ｂ５の用紙の大きさと同じか若干大きく設定され、Ｂ５・縦の用紙を積載する用紙積載面３２を形成している。さらに、第３の方形状の区画領域４は、排紙トレイ１の前記搬送基準Ｓを基準とするとともに、前記落し込み溝３１にＬ字状の嵌め込み補助部材３３を装着することにより、落し込み溝４１を形成し、これにより区画さている。この第３の方形状の区画領域４の大きさは、葉書の大きさ（横：１０５ｍｍ×縦：１４８ｍｍ）と同じか若干大きく設定され、葉書・縦の用紙を積載する用紙積載面４２を形成している。そして、前記第３の方形状の区画領域４を形成する落し込み溝４１には、嵌め込み補助部材４３が着脱可能に嵌め込まれている。なお、図中４４は、前記嵌め込み補助部材４３を着脱するための着脱溝である。
【００３７】
以上の構成による実施例では、搬送基準Ｓを基に図示しない画像形成部により、例えばＡ４・縦の用紙に画像を形成する場合、第２の方形状の区画領域３を区画する落し込み溝３１に、嵌め込み補助部材３３、４３を嵌め込んだ状態で画像形成装置を運転する。すると排紙口から排紙されたＡ４・縦の用紙Ｐ４は、順次第１の方形状の区画領域２の用紙載置面２２上に略用紙の四隅が揃った状態で積載される。また、Ｂ５・縦の用紙に画像を形成する場合、第２の方形状の区画領域３を区画する落し込み溝３１に、嵌め込まれた嵌め込み補助部材３３、４３を取外し、その状態で画像形成装置を運転する。すると排紙口から排紙されたＢ５・縦の用紙Ｐ５は、順次第２の方形状の区画領域３の用紙載置面３２上に略用紙の四隅が揃った状態で積載される。同様に葉書・縦の用紙に画像を形成する場合、第２の方形状の区画領域３を区画する落し込み溝３１に、Ｌ字状の嵌め込み補助部材３３を嵌め込み、第３の方形状の区画領域４を区画する落し込み溝４１に嵌め込まれた嵌め込み補助部材４３のみを取外し、その状態で画像形成装置を運転する。すると排紙口から排紙された葉書・縦の用紙Ｐ６は、順次第３の方形状の区画領域４の用紙載置面４２上に略用紙の四隅が揃った状態で積載される。したがって、その後の孔空けやステープラーなどの装丁具、更には紐などを用い、資料を綴じる装丁加工などが簡単、かつ短時間で行うことができ、資料が扱い易くなる他、極めて簡単な構成により、複数種類の用紙形態に対応することができる、などといった効果を奏する。
【００３８】
次に、図９および図１０に示す本発明の更に他の実施の形態について説明する。図９は、本発明の更に他の実施例による画像形成装置の排紙トレイの概略構成を示す斜視図、図１０は、図９に示す排紙トレイの要部を拡大して示す断面図である。なお、図９および図１０において図1乃至図８と同じ符号を付した部分は略同一のものを示す。以下相違点を中心に説明する。
【００３９】
この実施例では、前記取外し可能な嵌め込み補助部材３３の境界線上の内、用紙の排紙方向Ａに直交する先端側の端部に、高さが数ミリの曲線状の立上げ部３５を形成したものである。
【００４０】
この構成によれば、嵌め込み補助部材３３を嵌め込んだ状態で、第１の方形状の区画領域２の用紙載置面２２上に、この区画領域２に対応した例えばＡ４・縦の用紙Ｐ４を積載しても、搬送時にその境界面に用紙が引っかかるといった危惧が全くなくなり、略用紙の四隅が揃った状態で積載されるので、都合がよい。
【００４１】
次に、図１１乃至図１３に示す本発明の更に他の実施の形態について説明する。図１１は、本発明の更に他の実施例による画像形成装置の排紙トレイの概略構成を示す斜視図、図１２は、図１１に示す排紙トレイの正面断面図、図１３は、図１１に示す排紙トレイに用いる嵌め込み補助部材の概略構成を示す斜視図である。なお、図１１乃至図１３において図1乃至図１０と同じ符号を付した部分は略同一のものを示す。以下相違点を中心に説明する。
【００４２】
この実施例では、第１の方形状の区画領域２および第２の方形状の区画領域３の用紙積載面２２、３２を、例えば搬送基準Ｓからこれに対峙する辺２５、３５に向かって低くなるように形成し、排紙トレイ面１１に対して傾斜するように形成している。したがって、第２の方形状の区画領域３を形成する落し込み溝３１に嵌め込まれる嵌め込み補助部材３３は、図１３に示すように楔形状に形成されている。
【００４３】
この構成によれば、第１の方形状の区画領域２および第２の方形状の区画領域３の用紙積載面２２、３２が排紙トレイ面１１に対して傾斜されているので、排紙口から排紙された用紙は、それぞれ辺２５または辺３５に沿って順次確実に揃った状態で積載されるので、好ましい。
【００４４】
次に、図１４乃至図１６に示す本発明の更に他の実施の形態について説明する。図１４は、本発明の更に他の実施例による画像形成装置の排紙トレイの概略構成を示す斜視図、図１５は、図１４に示す排紙トレイに用いる嵌め込み補助部材の概略構成を示す斜視図、図１６は、図１４に示す排紙トレイから嵌め込み補助部材を取除いた状態を示す斜視図である。なお、図１４乃至図１６において図1乃至図１３と同じ符号を付した部分は略同一のものを示す。以下相違点を中心に説明する。
【００４５】
この実施例では、第１の方形状の区画領域２および第２の方形状の区画領域３の用紙積載面２２、３２を、例えば搬送基準Ｓからこれに対峙する辺２５、３５と、用紙排出方向Ａの排紙口から遠い側の辺２６、３６とが交差する角Ｃに向かって低くなるように形成し、排紙トレイ面１１に対して傾斜するように形成している。したがって、第２の方形状の区画領域３を形成する落し込み溝３１に嵌め込まれる嵌め込み補助部材３３は、図１５に示すように変形した楔形状に形成されている。
【００４６】
この構成によれば、第１の方形状の区画領域２および第２の方形状の区画領域３の用紙積載面２２、３２が排紙トレイ面１１に対してそれぞれ角Ｃに向かって傾斜されているので、排紙口から排紙された用紙は、それぞれ角Ｃを基準に辺２５と辺２６あるいは辺３５と辺３６とに沿って順次確実に揃った状態で積載されるので、好ましい。
【００４７】
なお、上述した実施例は、本発明の好適な実施例であるが、本発明はこれに限定されるものではなく、本発明の要旨を逸脱しない範囲において、種々変形実施可能である。
【図面の簡単な説明】
【００４８】
【図１】本発明の一実施例による画像形成装置の排紙トレイの概略構成を示す斜視図である。
【図２】図１に示す排紙トレイの正面断面図である。
【図３】図１に示す排紙トレイに用いる嵌め込み補助部材の概略構成を示す斜視図である。
【図４】図１に示す排紙トレイから嵌め込み補助部材を取除いた状態を示す斜視図である。図である。
【図５】本発明の他の実施例による画像形成装置の排紙トレイの概略構成を示す斜視図である。
【図６】図５に示す排紙トレイの正面断面図である。
【図７】図５に示す排紙トレイに用いる第１の嵌め込み補助部材の概略構成を示す斜視図である。
【図８】同じく図５に示す排紙トレイに用いる第２の嵌め込み補助部材の概略構成を示す斜視図である。
【図９】本発明の更に他の実施例による画像形成装置の排紙トレイの概略構成を示す斜視図である。
【図１０】図９に示す排紙トレイの要部を拡大して示す断面図である。
【図１１】本発明の更に他の実施例による画像形成装置の排紙トレイの概略構成を示す斜視図である。
【図１２】図１１に示す排紙トレイの正面断面図である。
【図１３】図１１に示す排紙トレイに用いる嵌め込み補助部材の概略構成を示す斜視図である。
【図１４】本発明の更に他の実施例による画像形成装置の排紙トレイの概略構成を示す斜視図である。
【図１５】図１４に示す排紙トレイに用いる嵌め込み補助部材の概略構成を示す斜視図である。
【図１６】図１４に示す排紙トレイから嵌め込み補助部材を取除いた状態を示す斜視図である。図である。
【符号の説明】
【００４９】
１    排紙トレイ
１１  排紙トレイ面
１２  取出し溝
２    方形状の区画領域
２０  枠体
２１  落し込み溝
２２  用紙積載面
２５  辺
２６  辺
３    方形状の区画領域
３１  落し込み溝
３２  用紙積載面
３３  嵌め込み補助部材
３４  着脱溝
３５  辺
３６  辺
４    方形状の区画領域
４１  落し込み溝
４２  用紙積載面
４３  嵌め込み補助部材
４４  着脱溝
Ａ    用紙排出方向
Ｃ    角
Ｓ    搬送基準
Ｐ４  用紙（Ａ４）
Ｐ５  用紙（Ｂ５）
Ｐ６  用紙（葉書）
【図１】
2005067886.tif 000003
【図２】
2005067886.tif 000004
【図３】
2005067886.tif 000005
【図４】
2005067886.tif 000006
【図５】
2005067886.tif 000007
【図６】
2005067886.tif 000008
【図７】
2005067886.tif 000009
【図８】
2005067886.tif 000010
【図９】
2005067886.tif 000011
【図１０】
2005067886.tif 000012
【図１１】
2005067886.tif 000013
【図１２】
2005067886.tif 000014
【図１３】
2005067886.tif 000015
【図１４】
2005067886.tif 000016
【図１５】
2005067886.tif 000017
【図１６】
2005067886.tif 000018